(57)【特許請求の範囲】
【請求項１】
住宅内に設けられた居住領域内に引戸が所定の間隔を隔てて平行に配置されることで、これら平行に配置された引戸の間が収納室とされ、この収納室によって、前記居住領域が２つの部屋に仕切られており、
前記居住領域に隣接して第２居住領域が配置され、この第２居住領域と前記居住領域との境界部には第２引戸が前記収納室の端部を開閉可能に配置されていることを特徴とする住宅。
【請求項２】
請求項１記載の住宅において、
前記居住領域に隣接して第２居住領域が配置され、該第２居住領域には前記平行に配置された引戸が直線移動可能であることを特徴とする住宅。
【請求項３】
請求項１または２に記載の住宅において、
前記収納室には可動棚が該収納室の床上を移動可能に設けられていることを特徴とする住宅。
【請求項４】
請求項１〜３のいずれかに記載の住宅において、
前記引戸の上端部は、住宅内に形成された垂れ壁に移動自在に支持されていることを特徴とする住宅。
【請求項５】
請求項４記載の住宅において、
前記垂れ壁の下端部側面には、上方に開口する溝部を有するレール部が設けられ、前記引戸の上端部には、前記溝部に摺動自在に係合する係合部が設けられ、該係合部を前記レール部の溝部に摺動自在に係合することで、前記引戸の上端部が、住宅内に形成された垂れ壁に移動自在に支持されていることを特徴とする住宅。
【請求項６】
請求項５記載の住宅において、
住宅の内壁の上部には、前記引戸の上端部に設けられた係合部と係合可能な回り縁が設けられ、この回り縁に前記引戸の係合部を係合することで、該引戸が内壁に沿って起立した状態で支持されて収納可能としたことを特徴とする住宅。
【発明の詳細な説明】
【０００１】
【発明の属する技術分野】
本発明は住宅に係り、特に引戸によって、居住領域を仕切るとともに、収納室を形成した住宅に関するものである。
【０００２】
【背景の技術】
例えば、特開平７−１８０３７５号公報の図２に示すように、居間と和室とを仕切る内壁に開口部を設け、この開口部に引戸を設けることで、該引戸によって居間と和室とを行き来可能に仕切るようにした住宅が提供されている。また、この住宅においては、前記居間の奥側には、押入れ等の収納室が外壁の内面に沿って設けられている。
【０００３】
【発明が解決しようとする課題】
ところで、上記のような住宅においては、引戸を開けることによって、居間と和室との両部屋を行き来することはできるが、前記収納室に物を出し入れする際には、和室側からしかできず、居間にある物を収納室に収納したり、収納室から物を居間に取出したりする際に不便であった。
また、上記のような住宅においては、前記引戸を開けることによって、居間と和室との両部屋を連通することはできるが、住宅内のレイアウトを変更することはできなかった。
【０００４】
本発明は上記事情に鑑みてなされたもので、二つの部屋から使用することができる収納室を備え、また、この収納室を移動することで、住宅内のレイアウトを変更することができる住宅を提供することを目的としている。
【０００５】
【課題を解決するための手段】
上記目的を達成するために、本発明の請求項１の住宅は、例えば図１に示すように、住宅内に設けられた居住領域１内に引戸１２,１２を所定の間隔を隔てて平行に配置することで、これら平行に配置された引戸１２,１２の間を収納室１５とし、この収納室１５によって、前記居住領域１を２つの部屋１６,１７に仕切り、
前記居住領域１に隣接して第２居住領域２を配置し、この第２居住領域２と前記居住領域１との境界部に、第２引戸１８を前記収納室１５の端部を開閉可能に配置したものである。
前記第２引戸１８を複数設け、これら第２引戸１８によって、居住領域１と第２居住領域２との境界部に設けられた開口部１１を開閉可能に構成してもよい。
【０００６】
前記引戸１２を平行に配置する場合、一方の側に引戸１２を複数配置した場合、他方の側にも引戸１２を複数配置する。引戸１２を複数配置する場合、互いに隣合う引戸１２,１２どうしは引き違い戸を構成するようにして配置する。
【０００７】
請求項１の住宅においては、居住領域１内に平行に配置された引戸１２,１２の間を収納室１５とし、この収納室１５によって、前記居住領域１を２つの部屋１６,１７に仕切るようにしたので、該２つの部屋１６,１７の両方から、引戸１２,１２を開けて収納室１５に物を出し入れすることが可能となり、また、平行に配置された引戸１２,１２の両方を開くことで、前記２つの部屋１６,１７を行き来することが可能となる。
また、収納室１５が居住領域１にある場合に、前記第２引戸１８を開いて、収納室１５の端部を開放することで、第２居住領域２から収納室１５に物を出し入れすることが可能となり、一方、収納室１５が第２居住領域２にある場合に、前記前記第２引戸１８を開いて、収納室１５の端部を開放することで、居住領域１から収納室１５に物を出し入れすることが可能となる。
【０００８】
請求項２の住宅は、請求項１において、前記居住領域１に隣接して第２居住領域２を配置し、該第２居住領域２に、前記平行に配置された引戸１２,１２を直線移動可能としたものである。
【０００９】
請求項２の住宅においては、前記居住領域１から第２居住領域２に、前記引戸１２,１２を直線移動させて配置することで、図３に示すように、第２居住領域２において平行に配置された引戸１２,１２の間が収納室１５となるとともに、この収納室１５によって、第２居住領域２が２つの部屋３,２１に仕切られる。したがって、該２つの部屋３,２１の両方から、引戸１２,１２を開けて収納室１５に物を出し入れすることが可能となり、また、平行に配置された引戸１２,１２の両方を開くことで、前記２つの部屋３,２１を行き来することが可能となる。
一方、前記居住領域１から第２居住領域２に、前記引戸１２を直線移動させて配置することで、前記第１居住領域１が一つの大きな部屋となって、第１居住領域１のレイアウトが変更され、また、前記第２居住領域２が２つの部屋３,２１に仕切られるので、該第２居住領域２のレイアウトが変更される。
【００１２】
請求項３の住宅は、請求項１または２において、前記収納室１５に、可動棚２０を該収納室１５の床上を移動可能に設けたものである。可動棚２０を収納室１５の床上を移動可能に設けるには、例えば、可動棚２０の底部にキャスター２０ｂを取付けてもよいし、収納室１５の床上にレールを設置して、このレール上を可動棚２０が移動するようにしてもよい。
【００１３】
請求項３の住宅においては、可動棚２０に物を収納して、該可動棚２０を移動することで、収納室１５内で物の移動を容易に行え、よって、収納室１５からの物の出し入れが容易となる。また、前記平行に配置された両引戸１２,１２を開けて、２つの部屋１６,１７(３,２１)を行き来する際に、可動棚２０を行き来する経路上から避けることで、２つの部屋１６,１７(３,２１)の行き来が容易となる。
【００１４】
請求項４の住宅は、例えば図５に示すように、請求項１〜３のいずれかにおいて、前記引戸１２の上端部を、住宅内に形成された垂れ壁１４に移動自在に支持したものである。
【００１５】
引戸１２の上端部を垂れ壁１４に移動自在に支持するには、例えば、垂れ壁１４の下面に、溝状のレール１３ａを形成する一方で、引戸１２の上端部に前記レール１３ａに摺動自在に係合する係合部１２ａを設ければよい。
また、引戸１２の下端部には、床面を転動可能な車輪１２ｂを取付けてもよいし、床面に形成された溝状のレールに係合する係合部を設けてもよい。
【００１６】
請求項４の住宅においては、引戸１２の上端部を垂れ壁１４に移動自在に支持することで、引戸１２の設置を容易に行うことができるとともに、引戸１２をその倒れを防止して容易に開閉することが可能となる。
【００１７】
請求項５の住宅は、例えば図７に示すように、請求項４において、前記垂れ壁１４の下端部側面に、上方に開口する溝部２１ａ,２１ａを有するレール部２１を設け、前記引戸１２の上端部に、前記溝部２１ａ,２１ａに摺動自在に係合する係合部２２ａ,２２ｂを設け、該係合部２２ａ,２２ｂを前記レール部２１の溝部２１ａ,２１ａに摺動自在に係合することで、前記引戸１２の上端部を、住宅内に形成された垂れ壁１４に移動自在に支持したものである。
【００１８】
請求項５の住宅においては、垂れ壁１４の下端部側面に、上方に開口する溝部２１ａ,２１ａを有するレール部２１を設けたので、このレール部２１に、引戸１２上端部の係合部２２ａ,２２ｂを上方から係合することで、該引戸１２をレール部２１に沿って摺動自在に設けることができ、よって、該引戸２１を垂れ壁１４に移動自在に支持することができる。また、引戸１２を上方に持ち上げて係合部２２ａ,２２ｂを溝部２１ａ,２１ａから外すだけで、引戸１２,１２をレール部２１から容易に取り外すことができる。
【００１９】
請求項６の住宅は、例えば図８に示すように、請求項５において、住宅の内壁の上部に、前記引戸１２の上端部に設けられた係合部２２ａと係合可能な回り縁２５を設け、この回り縁２５に前記引戸１２の係合部２２ａを係合することで、該引戸１２を内壁に沿って起立した状態で支持して収納可能としたものである。前記回り縁２５は、例えば、上方に開口する溝部２５ａを有するような形状とし、この溝部２５ａに引戸上端部の係合部２２ａを係合するようにする。
【００２０】
請求項６の住宅においては、住宅の内壁の上部に設けられた回り縁２５に、引戸上端部の係合部２２ａを係合することで、該引戸１２を内壁に沿って起立した状態で支持して収納可能としたので、前記居住領域１に配置されている引戸１２を撤去して、該引戸１２が不要な場合には、該引戸１２を内壁に沿って収納することができるとともに、該引戸１２は内壁に沿っているので、居住領域１を狭くすることがない。また、居住領域１から引戸１２を撤去することで、該居住領域１を一つの大きな部屋として使用することができる。さらに、前記回り縁２５は、通常はハンガーフックとしても使用することができる。
【００２１】
【発明の実施の形態】
以下、図面を参照して本発明の住宅の実施の形態について説明する。
図１〜図４は本発明の住宅の一例を示す平面図である。図１に示すように、本例の住宅は平面視略方形状をなしており、住宅内の西側には居住領域１が配置され、この居住領域１の東側には第２居住領域２が隣接配置されている。
【００２２】
前記第２居住領域２は、キッチン３を含んでおり、該キッチン３の東側には洗面室４、浴室５、トイレ６等が配設され、トイレ６の南側には、南入りの玄関７が配設されている。また、キッチン３の南側は、図１に示す状態ではリビング８とされている。
また、前記居住領域１と第２居住領域２との境界部には、内壁１０が設けられており、該内壁１０の中央部には居住領域１と第２居住領域２とを連通する開口部１１が形成されている。
【００２３】
前記居住領域１には、引戸１２…が所定の間隔を隔てて平行に配置されている。すなわち、居住領域１および第２居住領域２の中央部には、平面視においてレール１３,１３が互いに平行に設置されている。前記レール１３,１３は図５に示すように、天井から平行に垂下されている垂れ壁１４,１４の下端面に設けられており、該レール１３には２条の溝１３ａ,１３ａが形成されている。
一方、前記引戸１２の上端部には、前記レール１３の溝１３ａに摺動自在に係合する係合部１２ａが設けられており、引戸１２の下端部には車輪１２ｂが取付けられている。
【００２４】
そして、前記一方のレール１３には、３枚の引戸１２…が摺動自在に設けられており、該３枚の引戸１２…のうち、中央部の引戸１２の係合部１２ａは一方の溝１３ａに摺動自在にはめ込まれており、両脇の２枚の引戸１２,１２の係合部１２ａは他方の溝１３ａに摺動自在にはめ込まれている。また、各引戸１２の下端部の車輪１２ｂは床面に転動自在に当接されている。したがって、互いに隣合う引戸１２,１２は引き違い戸を構成している。
【００２５】
また、他方のレール１３には、前記一方のレール１３と同様にして３枚の引戸１２…が設けられている。
そして、前記平行に配置された引戸１２,１２間は収納室１５とされている。この収納室１５によって、居住領域１は２つの部屋１６,１７に仕切られており、これら部屋１６,１７は例えば個人用の寝室として使用されるようになっている。
また、前記レール１３,１３が第２居住領域２まで延在しているので、前記引戸１２…をレール１３,１３に沿って第２居住領域２に移動させることができるようになっている。
【００２６】
前記居住領域１と第２居住領域２との境界部には、図１に示すように、４枚の第２引戸１８…が配置されている。
すなわち、前記開口部１１には平面視において直線状のレール１９が設置されている。該レール１９は、前記レール１３と同様に、前記開口部１１を形成する垂れ壁の下面に設けられており、該レール１９の下端面には２条の溝が形成されている。
なお、前記第２引戸１８には、前記引戸１２と同様に、上端部に前記溝に摺動自在に係合する係合部が設けられ、下端部に車輪が取付けられている。
【００２７】
前記レール１９には、４枚の第２引戸１８…が摺動自在に設けられており、そのうち２枚の第２引戸１８,１８はレール１９の一方の溝に摺動自在にはめ込まれており、残りの２枚の第２引戸１８,１８は他方の溝に摺動自在にはめ込まれている。そして、前記４枚の第２引戸１８…は、互いに隣合うものが引き違い戸を構成している。
また、４枚の第２引戸１８…のうち、北側から２枚目の第２引戸１８は、前記収納室１５の端部開口面に配置されており、該第２引戸１８を南北に移動させることで、収納室１５の端部を開閉できるようなっている。
【００２８】
また、前記４枚の第２引戸１８…のうち、一番北側の第２引戸１８は、前記部屋１７にキッチン３から出入りするための引戸とされており、南側の２枚の引戸１８,１８は部屋１６にキッチン８から出入りするための引き違い戸とされている。
前記収納室１５の西側の端部には、住宅の西側の外壁に直交する壁１５ａ,１５ａが平行に突出形成されており、該壁１５ａ,１５ａの端部に、前記引戸１２,１２が突き当てられるようになっている。そして、壁１５ａ,１５ａの間には、不要の引戸１２…または第２引戸１８…が収納されるようになっている。
【００２９】
また、前記収納室１５の内部には、図１および図５に示すように、可動棚２０が設けられている。この可動棚２０は上下３段の棚を有するもので、各棚には物を収納するための籠２０ａが設置されている。また、可動棚２０の底部の四隅部には、それぞれキャスター２０ｂが取付けられており、該キャスター２０ｂ…が収納室１５の床上を転動することで、可動棚２０が収納室１５の床上を移動できるようになっている。
【００３０】
そして、上記構成の住宅では、図１に示すように、居住領域１に平行に配置された引戸１２,１２間を収納室１５とし、この収納室１５によって居住領域１が２つの部屋１６,１７に仕切られているので、該２つの部屋１６,１７の両方から、引戸１２を開けて収納室１５に物を出し入れすることができ、また、平行に配置された引戸１２,１２の両方を開くことで、前記２つの部屋１６,１７を行き来することができる。
【００３１】
また、前記可動棚２０に物を収納して、該可動棚２０を移動することで、収納室１５内で物の移動を容易に行うことができ、よって、収納室１５からの物の出し入れを容易に行うことができる。また、前記平行に配置された両引戸１２,１２を開けて、２つの部屋１６,１７を行き来する際に、可動棚２０を行き来する経路上から避けることで、２つの部屋１６,１７の行き来を容易に行うことができる。
さらに、前記第２引戸１８を開いて、収納室１５の端部を開放することで、第２居住領域２から収納室１５に物を出し入れすることが可能となり、便利である。
【００３２】
また、図２に示すように、居住領域１の部屋１６と第２居住領域１のリビング８とを仕切る引き違い戸を構成する第２引戸１８,１８を撤去することで、部屋１６とリビング８とが連通するので、これら部屋１６とリビング８とを広いリビングとして使用することができ、さらに、撤去された第２引戸１８,１８を納室１５の壁１５ａ,１５ａ間に収納することで、該第２引戸１８,１８が邪魔になることもない。
【００３３】
さらに、図３に示すように、居住領域１から第２居住領域２に、前記引戸１２…をレール１３,１３に沿って直線移動させて配置するとともに第２居住領域２の東西の幅に合わせて適宜引戸１２,１２を増設することで、第２居住領域２において平行に配置された引戸１２,１２の間を収納室１５とすることができるとともに、この収納室１５によって、第２居住領域２をキッチン３とその他の部屋２１とに仕切りことができる。
したがって、該２つの部屋３,２１の両方から、引戸１２,１２を開けて収納室１５に物を出し入れすることができ、また、図６に示すように、平行に配置された引戸１２,１２の両方を開くことで、前記２つの部屋３,２１を行き来することができる。
【００３４】
また、前記居住領域１から第２居住領域２に、前記引戸１２…を直線移動させて配置することで、前記第１居住領域１が一つの大きな部屋となって、第１居住領域のレイアウトが変更され、また、前記第２居住領域が２つの部屋に仕切られることで、該第２居住領域のレイアウトが変更されるので、住宅内のレイアウトを容易に変更することができる。
さらに、図４に示すように、前記引戸１２…および第２引戸１８…を撤去するとともに、可動棚２０を例えば居住領域１の壁側に移動させれば、居住領域１と第２居住領域２とが連通して、一つの大きな部屋となるので、この部屋をパーティルームとして使用することができる。なお、撤去された引戸１２…および第２引戸１８…は、前記壁１５ａ,１５ａの間に収納すればよい。
【００３５】
図７は、前記引戸１２を垂れ壁１４に摺動自在に支持する構造の他の例を示すものである。図７に示すように、垂れ壁１４の下端部側面には、レール部２１が設けられている。このレール部２１は、引戸１２,１２の上端部を摺動自在に支持するもので、上方に開口する２条の溝部２１ａ,２１ａを有している。
一方、引き違い戸を構成する引戸１２,１２のうち、垂れ壁１４側に位置する引戸１２の上端部には、前記レール部２１の外側の溝部２１ａに摺動自在に係合する係合部２２ａが設けられており、他方の引戸１２の上端部には、レール部２１の内側の溝部２１ａに摺動自在に係合する係合部２２ｂが設けられている。
そして、これら係合部２２ａ,２２ｂがレール部２１の溝部２１ａ,２１ａに摺動自在に係合されることで、引戸１２,１２の上端部が垂れ壁１４に移動自在に支持されている。なお、図７において符号２３で示す金具は、垂れ壁を壁に固定するものである。
【００３６】
このように、レール部２１の溝部２１ａ,２１ａに、引戸１２,１２の上端部の係合部２２ａ,２２ｂを上方から係合することで、該引戸１２,１２をレール部２１に沿って摺動自在に設けることができ、よって、該引戸１２,１２を垂れ壁１４に容易に移動自在に支持することができる。
また、前記引戸１２,１２を上方に持ち上げて係合部２２ａ,２２ｂを溝部２１ａ,２１ａから外すだけで、引戸１２,１２をレール部２１から容易に取り外すことができる。
【００３７】
また、図８に示すように、住宅の内壁の上部には、前記引戸１２の上端部に設けられた係合部２２ａまたは２２ｂと係合可能な回り縁２５が設けられている。
この回り縁２５は、上方に開口する溝部２５ａを有しており、この溝部２５ａに前記引戸１２の係合部２２ａまたは２２ｂが係合されることで、該引戸１２が内壁に沿って起立した状態で支持されて収納されるようになっている。このような回り縁２５は、居住領域１および第２居住領域２を形成する壁に設けられている。
【００３８】
したがって、前記居住領域１または第２居住領域２に配置されている引戸１２…を撤去して、該引戸１２…が不要な場合には、該引戸１２…を内壁に沿って収納することができるとともに、該引戸１２…は内壁に沿っているので、居住領域を狭くすることがない。
また、居住領域１、第２居住領域２から引戸１２…を撤去することで、該居住領域１、第２居住領域を一つの大きな部屋として使用することができる。
さらに、前記引戸１２の表面の色調、模様等を、内壁と等しくすれば、回り縁２５に支持された引戸１２が内壁と一体的になり、外観上も好ましいものとなる。
【００３９】
【発明の効果】
以上説明したように、本発明の請求項１の住宅によれば、居住領域内に平行に配置された引戸の間を収納室とし、この収納室によって、前記居住領域を２つの部屋に仕切るようにしたので、該２つの部屋の両方から、引戸を開けて収納室に物を出し入れすることができる。また、平行に配置された引戸の両方を開くことで、前記２つの部屋を行き来することができる。
また、前記居住領域に隣接して第２居住領域を配置し、この第２居住領域と前記居住領域との境界部に、第２引戸を前記収納室の端部を開閉可能に配置したので、収納室が居住領域にある場合に、前記第２引戸を開いて、収納室の端部を開放することで、第２居住領域から収納室に物を出し入れすることができ、一方、収納室が第２居住領域にある場合に、前記前記第２引戸を開いて、収納室の端部を開放することで、居住領域から収納室に物を出し入れすることができ、便利である。
【００４０】
請求項２の住宅によれば、請求項１と同様の効果を得ることができるのは勿論のこと、前記居住領域に隣接して第２居住領域を配置し、該第２居住領域に、前記平行に配置された引戸を直線移動可能としたので、居住領域から第２居住領域に、前記引戸を直線移動させて配置することで、第２居住領域において平行に配置された引戸の間を収納室とすることができるとともに、この収納室によって、第２居住領域が２つの部屋に仕切ることができる。
したがって、該２つの部屋の両方から、引戸を開けて収納室に物を出し入れすることができ、また、平行に配置された引戸の両方を開くことで、前記２つの部屋を行き来することができる。
【００４１】
また、前記居住領域から第２居住領域に、前記引戸を直線移動させて配置することで、前記第１居住領域が一つの大きな部屋となって、第１居住領域のレイアウトを変更することができ、また、前記第２居住領域が２つの部屋に仕切られるので、該第２居住領域のレイアウトを変更することができるので、住宅のレイアウトを容易に変更することができる。
【００４３】
請求項３の住宅によれば、請求項１または２と同様の効果を得ることができるのは勿論のこと、前記収納室に、可動棚を該収納室の床上を移動可能に設けたので、可動棚に物を収納して、該可動棚を移動することで、収納室内で物の移動を容易に行うことができ、よって、収納室からの物の出し入れを容易に行うことができる。また、前記平行に配置された両引戸を開けて、２つの部屋を行き来する際に、可動棚を行き来する経路上から避けることで、２つの部屋を容易に行き来することができる。
【００４４】
請求項４の住宅によれば、請求項１〜３のいずれかと同様の効果を得ることができるのは勿論のこと、前記引戸の上端部を、住宅内に形成された垂れ壁に移動自在に支持したので、引戸の設置を容易に行うことができるとともに、引戸をその倒れを防止して容易に開閉することができる。
【００４５】
請求項５の住宅によれば、請求項４と同様の効果を得ることができるのは勿論のこと、垂れ壁の下端部側面に、上方に開口する溝部を有するレール部を設けたので、このレール部に、引戸上端部の係合部を上方から係合することで、該引戸をレール部に沿って摺動自在に設けることができ、よって、該引戸を垂れ壁に移動自在に支持することができる。また、引戸を上方に持ち上げて係合部を溝部から外すだけで、引戸をレール部から容易に取り外すことができる。
【００４６】
請求項６の住宅によれば、請求項５と同様の効果を得ることができるのは勿論のこと、住宅の内壁の上部に、前記引戸の上端部に設けられた係合部と係合可能な回り縁を設け、この回り縁に前記引戸の係合部を係合することで、該引戸を内壁に沿って起立した状態で支持して収納可能としたので、前記居住領域に配置されている引戸を撤去して、該引戸が不要な場合には、該引戸を内壁に沿って収納することができるとともに、該引戸は内壁に沿っているので、居住領域を狭くすることがない。また、居住領域から引戸を撤去することで、該居住領域を一つの大きな部屋として使用することができる。さらに、前記回り縁を通常はハンガーフックとしても使用することができる。
【図面の簡単な説明】
【図１】本発明の住宅の一例を示すもので、該住宅の平面図である。
【図２】同、第２引戸を一部撤去した状態を示す住宅の平面図である。
【図３】同、引戸を第２居住領域に移動した状態を示す住宅の平面図である。
【図４】同、引戸を全て撤去した状態を示す住宅の平面図である。
【図５】同、図１におけるＡ−Ａ線矢視図である。
【図６】同、引戸を示す斜視図である。
【図７】同、引戸を垂れ壁に摺動自在に支持する構造を示す断面図である。
【図８】同、引戸を回り縁に支持した状態を示す断面図である。
【符号の説明】
１  居住領域
２  第２居住領域
１２  引戸
１４  垂れ壁
１５  収納室
１６,１７  部屋
１８  第２引戸
２０  可動棚
２１  レール部
２１ａ  溝部
２２ａ,２２ｂ  係合部
２５  回り縁
【図１】
0004250234.tif 000002
【図２】
0004250234.tif 000003
【図３】
0004250234.tif 000004
【図４】
0004250234.tif 000005
【図５】
0004250234.tif 000006
【図６】
0004250234.tif 000007
【図７】
0004250234.tif 000008
【図８】
0004250234.tif 000009